(57)【要約】【課題】プッシュトーク・オーバ・セルラ（ＰｏＣ）システムを提供する。【解決手段】要求されたワイヤレス・ユニットが利用可能でないとき、否定スピーク表示が要求ユニットに送達されることが可能である。本発明の一実施形態では、メッセージを第１ワイヤレス・ユニットに送信する要求を第２ワイヤレス・ユニットから受信することに応答して、第１ワイヤレス・ユニットがページングされる。ページ応答信号が、第１ワイヤレス・ユニットから受信され、第２ワイヤレス・ユニットへの否定スピーク表示が、ページ応答信号の受信に応答して、第２ワイヤレス・ユニットに送達される。【選択図】図１
2005354692.tif 000002
【特許請求の範囲】
【請求項１】
第１ワイヤレス・ユニットと通信する方法であって、
前記第１ワイヤレス・ユニットにメッセージを送信する要求を第２ワイヤレス・ユニットから受信することと、
前記第１ワイヤレス・ユニットが前記メッセージを受信することができないという判定に応答して、否定スピーク表示を前記第２ワイヤレス・ユニットに提供することとを備える、方法。
【請求項２】
前記第１ワイヤレス・ユニットが前記メッセージを受信することができないという判定に応答して、前記否定スピーク表示を前記第２ワイヤレス・ユニットに提供することが、
前記第１ワイヤレス・ユニットにメッセージを送信する前記要求を前記第２ワイヤレス・ユニットから受信することに応答して、前記第１ワイヤレス・ユニットをページングすることと、
前記第１ワイヤレス・ユニットからページ応答信号を受信することと、
前記ページ応答信号の受信に応答して、前記否定スピーク表示を前記第２ワイヤレス・ユニットに提供することとをさらに備える、請求項１に記載の方法。
【請求項３】
前記第１ワイヤレス・ユニットにメッセージを送信する前記要求を前記第２ワイヤレス・ユニットから受信することに応答して、前記第１ワイヤレス・ユニットをページングすることが、ＰｏＣ前記第１ワイヤレス・ユニットにメッセージを送信する要求を前記第２ワイヤレス・ユニットから受信することに応答して、前記第１ワイヤレス・ユニットをページングすることをさらに備える、請求項２に記載の方法。
【請求項４】
前記前記第１ワイヤレス・ユニットにメッセージを送信する前記要求を前記第２ワイヤレス・ユニットから受信することに応答して、前記第１ワイヤレス・ユニットをページングすることが、音声メッセージを前記第１ワイヤレス・ユニットに送信するために、スピーク要求を前記第２ワイヤレス・ユニットから受信することに応答して、前記第１ワイヤレス・ユニットをページングすることをさらに備える、請求項２に記載の方法。
【請求項５】
前記第１ワイヤレス・ユニットが前記メッセージを受信することができないと判定することが、前記第１ワイヤレス・ユニットにメッセージを送信する前記要求を前記第２ワイヤレス・ユニットから受信することに応答して前記第１ワイヤレス・ユニットとコンタクトする前に、前記第１ワイヤレス・ユニットが前記メッセージを受信することができないと判定することをさらに備える、請求項１に記載の方法。
【請求項６】
前記第１ワイヤレス・ユニットが前記メッセージを受信することができないと判定することが、前記第１ワイヤレス・ユニットが、前記第１ワイヤレス・ユニットが前記メッセージを受信することを妨害するサービスを現在提供していると判定することをさらに備える、請求項１に記載の方法。
【請求項７】
前記第１ワイヤレス・ユニットが前記メッセージを受信することができないと判定することが、前記メッセージが前記第１ワイヤレス・ユニットに送信されることを可能にするには不十分なリソースが利用可能であると判定することをさらに備える、請求項１に記載の方法。
【請求項８】
前記第１ワイヤレス・ユニットが前記メッセージを受信することができないと判定することが、前記ワイヤレス・ユニットが前記メッセージを受信することができるリソースを所有しないと判定することをさらに備える、請求項１に記載の方法。
【請求項９】
第１ワイヤレス・ユニットと通信する方法であって、
前記第１ワイヤレス・ユニットにメッセージを送信する要求を送達することと、
否定ページ事象スピーク表示を受信することとを備える、方法。
【請求項１０】
前記前記第１ワイヤレス・ユニットにメッセージを送信する前記要求を送達することが、ＰｏＣ前記第１ワイヤレス・ユニットにメッセージを送信する要求を送達することをさらに備える、請求項９に記載の方法。
【発明の詳細な説明】
【技術分野】
【０００１】
本発明は、一般に、１対多数会議モードを提供する通信システムに関し、より具体的には、プッシュトーク・オーバ・セルラ（ＰｏＣ）システムにおいて低待ち時間高精度否定スピーク表示を提供する方法に関する。
【背景技術】
【０００２】
一般に、ＰｏＣシステムは、通常ワイヤレスである従来の警察または消防のラジオ・システムと同様の１対多数送信モードを提供する。信号ベース局を有するアナログ・システムでは、第１ユーザが、初期送信によってベース局を捕獲し、ベース局は、プッシュトーク・ボタンによって活動化される。第１ユーザの音声送信は、ベース局によって受信され、他のユーザに再送信される。第１ユーザによる送信は、第１ユーザがプッシュトーク・ボタンを放すときに終了する。これにより、他のユーザの１人がプッシュトーク・ボタンで自分のラジオを起動することによって、第１ユーザに応答する、または新しい送信を開始することが可能になる。ユーザがトーク・ボタンを押した後に話すことが可能になる前の時間量であるスピーク待ち時間は、これらのタイプのシステムでは比較的短い。
【０００３】
パケット・データに基づくＰｏＣシステムでは、情報は、パケットで送信される。スピーチは、これらのパケット内においてデジタル・サンプルで搬送される。２つのカテゴリのシグナリング・メッセージが存在し、両方とも、パケットで送信される。シグナリングの一方のカテゴリは、新コールまたは外出コールであるＰｏＣコールにユーザが参加する要求を伝達する。このカテゴリは、コデック、ＩＰアドレス、ＵＤＰポートなどのネゴシエーションを含むことが可能である。シグナリングの第２カテゴリは、ユーザが話すことを要求することと、他のユーザがリスンする表示を受信することとを可能にする。ユーザは、１ユーザが一度に話す状態で、往復するスピーチのボレーを構成するために、シグナリングの第２カテゴリを使用する。
【０００４】
多くのワイヤレス・システムでは、モバイル局が、ワイヤレス・ネットワークへの連続活動無線接続を通常有さず、むしろ、ネットワークと周期的に接続して、パケットを交換する。ワイヤレス・ネットワークに連続的に接続されていることは、モバイル局の電池寿命および他のユーザに対するワイヤレス・リソースの使用の両方に対して悪影響を与える。このため、ワイヤレス・ネットワークは、モバイル局またはワイヤレス・ネットワークの最後のデータ・ビットの送信に続く短いアイドル時間の後、モバイル局への無線接続を通常解放する。ワイヤレス・ネットワークが、モバイル局に送信される１つまたは複数のパケットを有するとき、モバイル局をページングして特定し、モバイル局と再接続する。同様に、モバイル局が、送信されるパケットを有する場合、モバイル局は、ワイヤレス・ネットワークにシグナリングして、それ自体と再接続し、次いでパケットを送信する。この再接続は、ＰｏＣシグナリング・メッセージの転送に著しい待ち時間を追加し、これにより、無線接続を介してモバイル局とワイヤレス・ネットワークとの間でＰｏＣシグナリング・メッセージを転送するのに、待ち時間が追加される。発呼ユーザに対する著しいスピーク表示待ち時間は、ＰｏＣシステムの問題事項である。ユーザは、他のユーザに話す緊急の必要性を有する可能性があり、または、著しい待ち時間は、設計の欠点と見なされる可能性がある。
【０００５】
著しい待ち時間が、ＰｏＣシステムにおいて望ましくない事項である限り、ユーザが話す適切な表示を提供するために、相殺されることが必要である。たとえば、誤ったスピーク表示の結果、ユーザは、後に他のコールを試行する際に、自分のスピーチを繰り返さなければならないことになる。実際、何人かのユーザが、不適切なスピーク表示を警戒し、誰かがスピーク表示にも関わらず実際にリスンしていることをまず確認することを認識して、それにより、ＰｏＣサービスの全ユーザ経験から脱落することがある。
【０００６】
当技術分野において実施される１つの待ち時間低減解決法は、未確認スピーク表示［ＯＭＡ−ＡＤ］の使用である。未確認スピーク表示では、ワイヤレス・ネットワークは、１つまたは複数の宛先モバイル局が入りＰｏＣコールを受け取ることができることを確認するために、少なくとも１つの宛先ユーザにシグナリングする前に、１つまたは複数の宛先モバイル局が媒体を受信する準備が整っている表示を要求モバイル局に提供する。発呼ユーザが未確認スピーク表示に応答して話す際に、ワイヤレス・ネットワークは、スピーカの音声パケットをバッファリングする。
【０００７】
所与の宛先モバイル局が、無線接続をすでに有するとき（一般に「活動」モバイルと呼ばれる）、ワイヤレス・ネットワークは、モバイルがコールに参加し、かつ音声パケットを受け取ることを要求するために、ＰｏＣシグナリングをモバイルに送信する。モバイルがコールを所望するＰｏＣシグナリングで応答するとき、ワイヤレス・ネットワークは、バッファリングされたスピーチをユーザに解放する。
【０００８】
代わりに、被呼モバイル局が無線接続を有さない場合（一般に「休眠」モバイルと呼ばれる）、ワイヤレス・ネットワークは、被呼モバイル局を特定し、ページングすることを試行する。宛先モバイル局がページに応答するとき、ワイヤレス・ネットワークは、無線接続を介して宛先ユーザのモバイル局と接続または再接続し、新しく確立された無線接続を介してＰｏＣシグナリング・メッセージをモバイル局に送信する。モバイル局がＰｏＣシグナリングに応答するとき、ワイヤレス・ネットワークは、バッファリング・スピーチを宛先モバイル局に解放する。他のモバイル局がページに応答する際、それらは同様に再接続され、ＰｏＣシグナリングを受信し、応答し、スピーチを受信する。
【０００９】
当技術分野において実施される１つの技術は、ワイヤレス・ネットワークがモバイルを特定して、モバイル局への無線接続を確立することができることを保証するために、ワイヤレス・ネットワークにモバイル局に周期的にポーリングさせる。これにより、モバイル局が、入りＰｏＣコール・シグナリングに応答することができる確率が向上し、それにより、未確認スピーク表示の精度が向上する。しかし、この周期ポーリングは、ワイヤレス・リソースを酷使するという点で望ましくない。さらに、未確認スピーク表示の少なくとも１つの他の欠点は、スピーク表示の精度が、高精度で維持することが困難、または不可能である宛先モバイルに関する状態情報の精度に依拠することである。
【００１０】
高精度スピーク表示を必要とするユーザのために、確認スピーク表示と呼ばれる、ＰｏＣの当技術分野において実施される他の解決法が存在する。確認スピーク表示では、ワイヤレス・ネットワークは、モバイル局が、ＰｏＣシグナリングを送信することによって首尾よく受信および応答し、それにより入りＰｏＣコールを受け取るまで、スピーク表示を提供しない。この場合、モバイル局は、本質的に、ラジオによって到達可能であり、要求ユーザからスピーチ・パケットを受信する準備が整っている。したがって、ワイヤレス・ネットワークがスピーカの媒体をバッファリングする必要はない。残念ながら、上記で概述されたように、発呼ユーザは、この段階で、より長いスピーク表示の待ち時間を経験する。したがって、確認スピーク表示の精度は、スピーク表示の待ち時間を代償として改善されるが、発呼ユーザの観点では、スピーク表示の待ち時間が長くなることは望ましくない。
【００１１】
上述されたように、モバイル局は、単にワイヤレス・ネットワークのラジオ網羅範囲領域にないために、ＰｏＣシグナリングに応答できない可能性がある。しかし、現在配備されているワイヤレス・ネットワークでは、モバイル局がワイヤレス・ネットワークのラジオ網羅範囲内にあるときでさえ、モバイル局がＰｏＣシグナリングに応答することができないことについて、またはワイヤレス・ネットワークがＰｏＣコールをサポートすることができないことについて、多くの他の理由も存在する。そのような理由には、モバイル局が他のサービスに含まれ、ＰｏＣおよびその他のサービスを同時にサポートすることができないこと、ラジオ・スペクトル・リソースが枯渇し、シグナリングまたは媒体（音声）のＰｏＣベアラをサポートすることができないこと、モバイル局またはワイヤレス・ネットワークが、ＰｏＣコールをサポートする内部リソースが欠如していること、または他の理由がある。これらの場合は、モバイルが無線網羅にあるので、モバイル局がラジオ網羅にない場合と本質的に異なり、知識は、ワイヤレス・ネットワークの遠隔終端部分、またはＰｏＣを確立することができない終端モバイルにある。
【００１２】
未確認スピーク表示に技術の場合、モバイル局がワイヤレス・ネットワークのラジオ網羅範囲にあるにも関わらず、ネットワークまたはモバイル局がＰｏＣコールを確立することができないことは、モバイル局がラジオ網羅範囲にないことと同様の欠点を有する。発信モバイル局をサポートするワイヤレス・ネットワークは、スピークを停止する、または可能であれば被呼パーティの音声メールにユーザを誘導する、およびそうでない場合はＰｏＣコールを破棄する表示を提供すべきである。これは、当然、ワイヤレス・ネットワークが発呼ＰｏＣユーザに、少なくとも１つの終端モバイル局が発呼者のスピーチを受信する準備が整っている表示を与えた後である。
【００１３】
確認スピーク表示技術の場合、ワイヤレス・ネットワークは、発呼モバイル局にスピーク表示を提供しない。代わりに、発呼モバイル局は、ＰｏＣを確立することができないことを発見するためにのみコールが確立されることを待機する。コールを確立することができない表示をワイヤレス・ネットワークが提供するまで、発呼モバイル局が待機すべき時間量は、使用に十分な広範な領域におけるモバイル局のページングを含む待ち時間、ＰｏＣシグナリングを処理する負荷の下で動作する妥当な数のネットワーク要素の待ち時間、およびエラーのために失われるシグナリング・パケットを再送信する時間の合計に依拠する。再送信する時間は、無線による再送信を含む。
【００１４】
したがって、ワイヤレス・ネットワークまたはモバイル局が、要求されたＰｏＣコールを確立することが可能ではないことを認識するとき、ＰｏＣ発呼者がスピーク表示を待機すべきではないとき（すなわち、ＰｏＣコールを破棄する）の低待ち時間の精確な表示を提供することが望ましい。一般に、複数ユーザへのＰｏＣコールでは、ワイヤレス・ネットワークは、ＰｏＣコールを確立することができないときコールを破棄するそのような表示を、ユーザのいずれかに提供するだけであるべきである。
【発明の開示】
【発明が解決しようとする課題】
【００１５】
本発明は、上述された問題の１つまたは複数の影響を克服する、または少なくとも低減することを対象とする。
【課題を解決するための手段】
【００１６】
本発明の一態様では、第１ワイヤレス・ユニットと通信する方法が提供される。方法は、メッセージを第１ワイヤレス・ユニットに送信する要求を第２ワイヤレス・ユニットから受信することを備える。第１ワイヤレス・ユニットがメッセージを受信することができないという判定に応答して、否定スピーク表示が第２ワイヤレス・ユニットに提供される。
【００１７】
本発明の他の態様では、第１ワイヤレス・ユニットと通信する方法が提供される。方法は、メッセージを第１ワイヤレス・ユニットに送信する要求を送達することを備える。次いで、否定的なページ事象スピーク表示が送達される。
【００１８】
本発明の他の態様では、第１ワイヤレス・ユニットと第２ワイヤレス・ユニットとの間の通信を制御する装置が提供される。装置は、メッセージを第２モバイル局に送信する要求を第２モバイル局から受信することに応答して、第１モバイル局をページングするように適合されたネットワークを備える。ページ応答信号が、第１モバイル局から受信され、第１ワイヤレス・ユニットがメッセージを受信することができないという判定に応答して、否定スピーク表示が第２モバイル局に提供される。
【００１９】
本発明は、同じ参照符合が同じ要素を表す添付の図面に関連して取り入れられる以下の記述を参照することによって、理解されることが可能である。
本発明は、様々な修正および代替の形態が可能であるが、その特定の実施形態が、図面において例として示され、本明細書において詳細に記述される。しかし、特定の実施形態の本明細書における記述は、開示される特定の形態に本発明を限定することを意図せず、対照的に、本発明は、添付の特許請求の範囲によって確定される本発明の精神および範囲内にあるすべての修正、等価、および代替を網羅することを理解されたい。
【発明を実施するための最良の形態】
【００２０】
本発明の例示的な実施形態が、以下に記述される。明瞭化のために、実際の実施態様のすべての特徴が、本明細書において記述されるわけではない。当然、あらゆるそのような実際の実施形態の開発において、多くの実施態様特有の決定が、システム関連および企業関連の制約に準拠するなど、実施態様ごとに異なる開発者の特定の目標を達成するように行われるべきであることを理解されたい。さらに、そのような開発努力は、複雑で時間がかかる可能性があるが、それにも関わらず、本開示の利益を有する当業者には、日常的な作業であることが理解されるであろう。
【００２１】
本発明は、未確認スピーク表示に匹敵する待ち時間、および確認スピーク表示に匹敵する精度を有するスピーク表示を提供することによって、現行技術を進化させる。さらに、本発明は、モバイルまたはワイヤレス・ネットワークが、要求された参加者のすべてに対してＰｏＣを確立することができない情報を所有するとき、ＰｏＣコールを破棄するために、低待ち時間および高精度の表示をも提供する。
【００２２】
一般に、発呼ユーザにスピーク表示を提供する決定には、３つの構成要素が含まれる。これらは、１）発呼ユーザからＰｏＣコールまたは話す要求を受容する１人または複数の被呼ユーザの意思、２）モバイルを特定することができるワイヤレス・ネットワーク、および３）ＰｏＣシグナリングおよび媒体（スピーチ）を搬送するために、必要に応じて、１つまたは複数の接続を確立することができるワイヤレス・ネットワーク、である。
【００２３】
ＰｏＣコールを受容する１人または複数の宛先ユーザの意思である第１項目は、被呼ユーザが、自分が発呼ユーザから送信されたコールを受信して、スピーチを聞く意思のあることを示すパラメータを、ワイヤレス・ネットワークの（プレゼンス）サーバにおいて設定したことを意味する。ＰｏＣコールが以前に確立されているが、被呼モバイルが休眠状態である場合、この要求は、コールおよび発呼ユーザのスピーチを聞く要求の連続を表す。被呼ユーザが設定するパラメータは、通常、「プレゼンス」として既知のプロトコル領域によって確定される。プレゼンス・パラメータは、当業者には周知であり、したがって、本明細書では詳細に開示されない。一般に、プレゼンス・パラメータまたはセッティングは、自分自身が何人かの発呼者に対して存在し、その他に対しては存在しないことを確定するために、ユーザによって設定される。本発明の開示される実施形態を記述するために、これ以後、ＰｏＣコールを受信するユーザがことを望むと想定する。
【００２４】
ユーザを特定することができるワイヤレス・ネットワークの第２項は、ワイヤレス・ネットワークがモバイルをページングすることができ、モバイルがページに応答することができることを意味する。したがって、モバイルは、ワイヤレス・ネットワークのラジオ網羅範囲内にあり、そうでない場合、モバイル局は、ページを受信し、ページに応答することができない。
【００２５】
接続を確立することができるワイヤレス・ネットワークの第３項目は、ワイヤレス・ネットワークおよびモバイル局がＰｏＣメッセージおよび媒体を交換するために、ワイヤレス・ネットワークが、必要に応じて無線接続または１セットの接続を確立することができることを意味する。一般にであって、常にではないが、モバイル局が、ワイヤレス・ネットワークからのページ・メッセージに応答することができる場合、ワイヤレス・ネットワークおよびモバイル局は、ＰｏＣシグナリングおよび媒体を交換するために使用される１つまたは複数の無線接続を確立することができる。これは、モバイル局が、ページを受信して、ページに応答することができる場合、モバイル局は、本質的にワイヤレス・ネットワークとラジオ接触しているからである。しかし、モバイル局１０４およびワイヤレス・ネットワークがＰｏＣシグナリング・メッセージおよび媒体を交換するために使用するページに使用されるラジオ・リソースおよび無線接続に使用されるラジオ・リソースは、必ずしも同一ではない。したがって、モバイル局は、ワイヤレス・ネットワークからのページに応答することができるが、そのような接続を確立することができない可能性がある。例として、ｃｄｍａ２０００のフィールド経験は、原因が、ラジオ・リソースが欠如している原因のみである場合、これは、約２％の時間について起きる。
【００２６】
引続き第３項目について、ラジオ・リソースの欠如の他に、枯渇する可能性がある、またはモバイル局がすでに他の活動に従事しているために、ＰｏＣコールの確立を妨害する限定を有する可能性があるワイヤレス・ネットワーク・システムおよびモバイル・リソースなど、他の種類のリソースが存在する。これらの後者の種類のシステム限定は、おそらくはシステムのハードウエアおよびソフトウエアのバージョンを含めて、地理的領域における実際のワイヤレス・ネットワークの配備に非常に依拠し、ならびに他の活動に同時に従事することができる所与のモバイル局の能力に依拠するので、モバイル局がページに返答することができる、またはできたが、ＰｏＣコールを確立することは可能ではないという精確な確率に言及することは可能ではない。たとえば、モバイル局またはワイヤレス・ネットワークが、通常の回路音声コールおよびＰｏＣコールを同時にサポートすることができない場合、モバイルがページに応答することはできるが、ＰｏＣコールをサポートすることができない確率は、モバイルのユーザが回路音声コールに従事する頻度にも依拠する。したがって、確率は、本質的に、ラジオ・リソースに依拠しない。
【００２７】
本発明の一実施形態では、休眠宛先モバイル局からのページ応答が、発呼ユーザが話す表示をトリガするために使用される。この技術は、モバイル局がラジオ網羅範囲内にあることを立証するので、モバイル局が接続され、入りコールを受信することができると単に推測するより精確であり、または、精確な推測をすべき高精度状態を維持するためにコストのかかる（および一般に実行不可能である）ポーリングを必要としない。一方、この技術は、モバイル局が接続を確立して、その接続でＰｏＣシグナリングを受信することを必要としないので、この技術は、確認スピーク表示の手法より短い待ち時間を有する。
【００２８】
本発明の他の実施形態では、ワイヤレス・ネットワークが、モバイル局がＰｏＣコールを受容および確立することを妨害するある他の活動にモバイル局が従事していること、またはＲＡＮがＰｏＣおよび他の活動を同時にサポートすることができないことを認識している、あるいはそうでない場合は、モバイル局がＰｏＣコールをサポートすることができないことを認識しているなどの理由で、ＰｏＣコールを確立することが可能ではないという知識を所有する場合、モバイル局のワイヤレス・ネットワークにおけるＰｏＣシグナリングの到着は、ＰｏＣコールを破棄するという発呼ユーザに対する表示をトリガするために使用される。さらに、上述されたように、モバイル局がページに返答し、かつ、ラジオ・リソースが枯渇しているために、ＰｏＣコールを確立することは可能ではないという２％の見込みが通常存在する。これも、ＰｏＣコールを破棄するという発呼ユーザに対する表示をトリガする。ワイヤレス・ネットワークは、ページを送信する前にそのような知識を所有することが可能であり、または、モバイル局からページ応答を受信するときに、そのような知識を得ることが可能である。同様に、モバイル局がページを受信して、ページがＰｏＣコールについてであるという知識を所有し、また、モバイル局他の活動に従事していて、それらの他の活動と同時にＰｏＣコールをサポートすることができない、またはさらに他の理由でＰｏＣコールをサポートすることができないので、ＰｏＣコールを確立することが可能ではないという知識を所有する場合、ワイヤレス・ネットワークからモバイル局へのＰｏＣシグナリングの到着は、話さない、すなわちＰｏＣコールを破棄するという発呼ユーザへの表示をトリガするために使用される。この技術は、ワイヤレス・ネットワークおよび／またはモバイル局がＰｏＣコールをサポートすることができないという表示を伝達するので、この技術は、モバイル局からのＰｏＣシグナリング応答が到着しないことによりタイムアウトが生じることを単に待機するより短い待ち時間を有し、また、ＰｏＣコールを確立することが可能ではないという精確な推測をすべき高精度状態を維持するためにコストの高い（および一般に実行不可能である）ポーリングも必要としない。また、この技術は、モバイル局が無線接続を確立して、その接続でＰｏＣシグナリングを受信し、シグナリングを処理し、次いで、モバイル局がＰｏＣコールをサポートすることができないと応答することを必要としないので、この技術は、モバイル局がＰｏＣコールを拒否していることを示すシグナリングをモバイル局から受信するより短い待ち時間を有する。
【００２９】
本明細書において記述されるシステムは、未確認スピーク表示および確認スピーク表示とは異なり、ページ事象確認スピーク表示と一般に呼ばれ、かつ以下でより完全に議論される、第３の新しいタイプのスピーク表示を確定する。ページ事象確認スピーク表示は、［ＯＭＡ−ＡＤ］に見られるような、現況技術の確認スピーク表示および未確認スピーク表示とは異なるが、その理由は、ユーザがラジオ到達範囲内にあることを精確に確認することによってスピーク表示を提供するが、実行不可能なポーリングも、接続を確立し、かつＰｏＣメッセージを送信および受信する待ち時間も有さないからである。さらに、ページ事象確認スピーク表示では、発呼ユーザは、モバイル局が入りコールに関連するＰｏＣシグナリングを処理しなければならないことによる追加の待ち時間を経験しない。
【００３０】
同様に、本明細書において記述されるシステムは、ワイヤレス・ネットワークまたはモバイルが、ページの送信前、またはページ応答の受信後、否定ページ事象確認スピーク表示と一般に呼ばれ、以下でより完全に議論される否定結果を伝達する比較スピーク表示を確定することによって、ＰｏＣを確立することができないという知識を所有するとき、確立することができないＰｏＣコールの未確認スピーク表示および確認スピーク表示とは異なる。否定ページ事象確認スピーク表示は、［ＯＭＡ−ＡＤ］に見られるような、現況技術の確認スピーク表示および未確認スピーク表示とは異なるが、その理由は、ワイヤレス・ネットワークおよびモバイル局がＰｏＣコールを確立することができないことを精確に確認することによって、ＰｏＣコールを破棄するという表示を発呼ユーザに提供するが、ＰｏＣコールを確立するモバイルの能力の状況を維持するモバイルの実行不可能なポーリングも、モバイル局から欠陥ＰｏＣシグナリング応答を検出するように作用するタイマの満了に関連する待ち時間も、ＰｏＣコールを確立することができないことを知るためにのみＰｏＣシグナリングを受信するように接続を確立し、ＰｏＣを送信および受信する待ち時間をも有さないからである。さらに、否定ページ事象確認スピーク表示では、発呼ユーザは、また、モバイルが入りコールに関連するＰｏＣシグナリングを処理し、またモバイルがＰｏＣコールを確立またはサポートすることができないという応答のみを送り返さなければならないことによる追加の待ち時間も経験しない。
【００３１】
特にことわりのない限り、または、議論から明らかである場合、「処理する」または「演算する」または「計算する」または「決定する」または「表示する」などの用語は、コンピュータ・システムのレジスタおよびメモリ内において物理的電子量として表されるデータを加工して、それを、コンピュータ・システムのメモリまたはレジスタ、もしくは他のそのような情報記憶装置、送信装置、または表示装置内の物理量として同様に表される他のデータに変換する、コンピュータ・システム、デジタル・データ・プロセッサ、デジタル信号プロセッサ、集積回路（たとえば、特定用途向け集積回路（ＡＳＩＣ）もしくはフィールド・プログラム可能ゲート・アレイ（ＦＰＧＡ））、または同様の電子演算デバイスの行為およびプロセスを指す。
【００３２】
ここで図面を参照し、特に図１を参照すると、本発明の一実施形態による通信システム１００が示される。図１は、ＰｏＣシステムをサポートする例示的なパケット・データ・ワイヤレス・ネットワーク１０２内において使用されることが可能である構成要素を全体的に示す。１つのネットワーク・プロバイダまたは複数のネットワーク・サービス・プロバイダが、全ネットワークを所有またはサービスすることが可能である。サービス・プロバイダの数は、本明細書において開示される本発明の様々な実施形態の記述に影響を与えない。
【００３３】
例示的なネットワーク１０２は、１つまたは複数のモビリティ・ルーティング・ネットワーク１０８、１１０を含むことが可能であり、このネットワークは、モバイル局１０４、１０６が移動する際に永続的であるインターネット・プロトコル（ＩＰ）アドレスをモバイル局１０４、１０６に提供する。モビリティ・ルーティング・ネットワークの例は、ＩＳ８３５、ＧＰＲＳなどである。モバイル局１０４、１０６が「遠隔」地理的位置に移動するために、モビリティ・ルーティング・ネットワーク１０８、１１０が、ＩＰアドレスを維持することができない場合、モバイル局１０４、１０６は、モビリティ・ルーティング・ネットワーク１０８、１１０によって新しいＩＰアドレスを割り当てられることが可能であり、モビリティ・ルーティング・ネットワーク１０８、１１０は、新しいＩＰアドレスでＰｏＣサーバ１１２を更新する。さらに、モバイル局１０４、１０６がＩＰアドレスを得るとき、または他の事象が起きるとき、いくつかのモビリティ・ルーティング・ネットワークが、存在通知を送信する能力を有する。
【００３４】
ラジオ・ネットワーク１１４、１１６が、モビリティ・ルーティング・ネットワーク１０８、１１０に結合され、あるサービング領域内におけるラジオ接続および限定可動性をモバイル局１０４、１０６に提供する。例示的なラジオ・ネットワークは、ＩＳ２０００、ＧＳＭ、ＵＭＴＳなどを含むことが可能である。モビリティ・ルーティング・ネットワーク１０８、１１０およびラジオ・ネットワーク１１４、１１６は、共に、図１に示されるモバイル・データ・ネットワーク１１８、１２０を形成する。
【００３５】
モバイル局１０４、１０６が能動接続を有するとき、モバイル・データ・ネットワーク１１８、１２０内のラジオ・ネットワーク１１４、１１６は、パケットをモバイル局１０４、１０６に単に送達する。しかし、モバイル局１０４、１０６が休眠状態である場合、すなわち、無線接続を有さない場合、モバイル・ルーティング・ネットワーク１０８、１１０は、パケットをラジオ・ネットワーク１１４、１１６に送達し、ラジオ・ネットワーク１１４、１１６は、モバイル局１０４、１０６をページングする。これは、ラジオ・ネットワーク１１４、１１６とモバイル局１０４、１０６との間の無線接続の確立をトリガする。パケットは、この段階で、無線接続を介して送達されることが可能である。上述されたように、いくつかのワイヤレス・ネットワーク体系では、２つ以上の無線接続がＰｏＣサービスに必要である可能性がある。
【００３６】
いくつかのモバイル・データ・ネットワーク１１８、１２０の能力が、モバイル・データ・ネットワーク１１８、１２０があるパケットを認識して、そのようなパケットの認識に関する行為を実施することを可能にする１つまたは複数のパケット・フィルタを確立するモバイル局１０４、１０６の能力である。パケット・フィルタが、ＩＰアドレスもしくはアドレス範囲、またはポート番号もしくはポート番号範囲、またはパケットで搬送されるプロトコルのタイプ、または区別されたサービス・フィールド、またはセキュリティ・パラメータ・インデックス（ＳＰＩ）フィールドなどによって、特定のパケットのタイプを認識することが可能である。さらなる詳細な例については、ＩＳ８３５およびＧＰＲＳを参照されたい。トンネリングされたパケットの場合について内部パケット層に作用するパケット・フィルタを特定することが可能である。この場合、トンネリング・パケットは、パケット全体が内部パケットを搬送することを意味する。その内部パケットは、「カプセル化されている」と言われることがある。パケット・フィルタの一般的な使用法は、あるパケットを認識して、特定量のサービスまた特殊圧縮を提供する特定の無線接続でそれらを送信することである。また、ネットワーク・オペレータが、この機能を能動的に実施しなければならないモバイル局の代わりに、モバイル局を代表してパケット・フィルタを管理的に構成することも可能である。いくつかの状況では、これは、有利である可能性があるが、その理由は、モバイル局の設計を簡単にし、おそらくはより安価にする、またはより早期に利用可能とするからである。
【００３７】
示された実施形態では、シグナリング・ネットワーク１２２が、ＰｏＣサーバ１１２とモビリティ・データ・ネットワーク１１８、１２０との間のＰｏＣシグナリング・メッセージ接続を提供する。少なくともいくつかの応用分野では、シグナリング・ネットワーク１２２は、ＰｏＣサーバ１１２の特定の１つをモバイル局１０４、１０６の特定の１つに割り付けて、および割り当てる。上記で説明されたように、ＰｏＣシステムには、２つのカテゴリのシグナリング・メッセージが存在する。両方とも、パケットで搬送される。一方のカテゴリのシグナリングは、ユーザがＰｏＣに参加し、ならびにコールを開始することを要求する。第２のカテゴリのシグナリングは、ユーザが、他のユーザが聞くためにのみコールに関する表示を受信する間、話すことを要求することを可能にする。この第２のタイプのシグナリングは、２人のユーザがほぼ同時に話すことを要求する場合、仲裁機能を提供する。ＰｏＣシグナリングはパケットで搬送されるので、先行パラグラフにおいて議論されたフィルタは、ＰｏＣシグナリングを認識することができる。
【００３８】
シグナリング・ネットワーク１２２は、２つの異なるモードにおいて作用することが可能である。第１モードにおいて、シグナリング・ネットワークは、単にＩＰネットワークとして作用し、モバイル局１０４、１０６とＰｏＣサーバ１１２との間でパケットを転送する。この場合、パケットは、シグナリング・ネットワーク１２２を横断する際に変化されずに、ＰｏＣサーバ１１２またはモバイル局１０４、１０６に到達する。具体的には、モバイル・データ・ネットワーク１１８、１２０は、ＰｏＣシグナリングを送信するＰｏＣサーバ１１２のＩＰアドレスを決定することができる。本発明の観点から、シグナリング・ネットワーク１２２は、ＰｏＣシグナリング・メッセージに対して透過的である。本発明の観点から、ＰｏＣシステムをサポートするワイヤレス・ネットワークにおける図示されていないあるセットのエンティティまたは他の構成要素が、シグナリング・パケットのＩＰアドレスを新しいアドレスに変更する場合、これらの同じ構成要素は、新しいアドレスを元のアドレスに再度マッピングすることができる。シグナリング・ネットワークは、ＩＰネットワークとして作用するように確定され、ＰｏＣシグナリングに対してほぼ透過的である。あらゆるそのような再マッピング技術は、本発明に関係しないが、その理由は、本明細書の本発明の原理または動作に影響を与えないからである。
【００３９】
第２モードのシグナリング輸送では、シグナリング・ネットワーク１２２内のエンティティが、ＩＰアドレスとは明らかに異なるシグナリング・メッセージのシグナリング・アドレスに基づいて、経路指定および順送りを提供する。シグナリング・ネットワーク１２２内のエンティティが、セキュリティおよび圧縮のサービスをＰｏＣシステムに提供することも可能であり、ならびにシグナリング・メッセージの再送信を提供するプロトコル層を有することが可能である。シグナリング・ネットワーク１２２内のエンティティ自体は、輸送層としてＩＰネットワークにのみ依拠する。シグナリング・ネットワーク・エンティティがＰｏＣシグナリングを経路指定して、順送りする際に、パケットのＩＰアドレスなど、パケットのシグナリング特有構成要素が変更される。シグナリング・ネットワーク１２２が、シグナリング・メッセージのＰｏＣコール特有構成要素に影響を与えない場合でも、シグナリング・ネットワーク１２２は、誰が被呼されているか、またはそのコールに望ましいコデックのタイプなど、ＰｏＣシグナリング・パケットのＰｏＣコール特有構成要素を検査または変更しない。重要なことは、モバイル局１０４、１０６およびモバイル・データ・ネットワーク１１８、１２０の観点から、シグナリング輸送のこのモードでは、シグナリング・パケットが、シグナリング・ネットワーク１２２内の最後のシグナリング・エンティティによって送信されることが明らかである。すなわち、シグナリング・パケットは、ＰｏＣシグナリングを送信するＰｏＣサーバ１１２のＩＰアドレスを有さない。
【００４０】
図１のＰｏＣサーバ１１２は、ＰｏＣコール制御機能を提供し、ニックネームまたはグループ名を実際の個人に拡張する、ユーザがＰｏＣコールを他のＰｏＣユーザにすることを認証または許可する、ＵＤＰポートの割付け、媒体複製、または媒体複製の制御を実施するなどの機能、および他の機能を実施する。当業者なら、ＰｏＣサーバ１１２の適切な構成または数は、本発明の中心事項ではなく、本発明の精神および範囲から逸脱せずに大きく変更されることが可能であることを理解するであろう。
【００４１】
プレゼンス・サーバ１２４が、ＰｏＣに関するサービスを提供する。プレゼンス・サーバ１２４の１つの使用法は、ユーザが、他のユーザまたは特定のユーザがコールすることを望むか、または望まないかを示すユーザ状況の記憶である。本発明の観点から、プレゼンス・サーバ１２４が、ＰｏＣサーバ１１２が使用するのと同じシグナリング・プロトコルを使用する必要はない。しかし、非常にしばしば、これは、ＰｏＣシステムをサポートする一般に配備されるワイヤレス・ネットワークの場合である。当業者なら、プレゼンス・サーバがＰｏＣシグナリングと同じプロトコルを使用する、または使用しないかは、本発明に影響を与えず、したがって、本発明を不必要にあいまいにすることを回避するために、本明細書においてより詳細に議論されないことを理解するであろう。
【００４２】
図１に示されるエンティティまたは構成要素の構成は、本発明の態様の少なくともいくつかを使用することが有利である可能性があるワイヤレス・ネットワークの１つの実施形態を表す。図示されていないが、エンティティ間のＩＰパケットの輸送に備える基本的なＩＰネットワークが想定される。このＩＰネットワークは、また、ユーザのスピーチを搬送する媒体パケットを輸送する。さらに、適切なＩＰ輸送包絡線および輸送プロトコルは、インタフェースごとに異なることが可能である。たとえば、メッセージは、ＰＰＰ無線ではカプセル化されることが可能である。適切な輸送包絡線および輸送プロトコルは、本発明の精神および範囲から逸脱せずに、応用分野ごとに異なることが可能である。
【００４３】
本明細書において記述される実施形態では、２つのクラスのページ事象表示が使用されることが可能である。まず、直接ページ事象スピーク表示が使用されることが可能である。モビリティ・データ・ネットワーク１１８、１２０は、ページ事象表示メッセージをＰｏＣサーバ１１２に送信し、ＰｏＣサーバ１１２は、ＰｏＣシグナリングを送信する。モビリティ・データ・ネットワーク１１８、１２０は、シグナリングを送信したＰｏＣサーバのＩＰアドレスへのアクセスを有し、またはそれを決定することができ、この目的のためにそのＩＰアドレスを使用する。
【００４４】
代替として、間接ページ事象スピーク表示が使用されることが可能である。モビリティ・データ・ネットワーク１１８、１２０は、ＰｏＣシグナリングを送信したＰｏＣサーバ１１２に通知する中間エンティティを介して、ページ事象スピーク表示を送信する。モビリティ・データ・ネットワーク１１８、１２０は、シグナリングを送信したＰｏＣサーバ１１２のＩＰアドレスへのアクセスを有さない。ＰｏＣサーバ１１２および中間エンティティは、シグナリングを送信したＰｏＣサーバ１１２を決定するために、ＩＰアドレス識別子を使用しない。これらのエンティティは、ページ事象スピーク表示メッセージをＰｏＣサーバに送達する前に、ページ事象スピーク表示についてさらに動作して、その経路に沿ってページ事象スピーク表示の基本プロトコルを変更することが可能である。本発明の観点から、ページ事象スピーク表示の厳密なプロトコルのタイプは、本発明の原理に影響を与えない。
【００４５】
上記で議論されたように、いくつかのワイヤレス・ネットワークでは、図１のシグナリング・ネットワーク１２２は、いくつかまたはすべてのＰｏＣシグナリング・メッセージのＩＰアドレスを変更する。ＰｏＣシグナリング・ネットワーク１２２が、ＰｏＣシグナリング・メッセージを暗号化する、および／または圧縮する場合、ＰｏＣシグナリング・ネットワーク１２２は、ＰｏＣサーバ１１２のＩＰアドレスを簡単に決定することができない可能性がある。この場合、直接ページ事象表示動作は適用可能ではなく、間接ページ事象動作が使用される。
【００４６】
間接および直接の両方のページ事象表示が、モバイル・データ・ネットワーク・フィルタが認識したＰｏＣシグナリング・メッセージのコピーを随意選択で含むことが可能である。最小限、表示は、ＰｏＣサーバ１１２が被呼モバイル局１０４、１０６を識別するのに十分な情報を含む。この機構の有利な形態は、フィルタが認識した正確なシグナリング・メッセージをＰｏＣサーバ１１２が識別するのに十分な情報が、ページ事象スピーク表示に存在することである。
【００４７】
いくつかの配備では、ＰｏＣシグナリング・ネットワーク１２２が、モバイル局のページ事象スピーク表示の到着を、そのモバイル局に送信された直近ＰｏＣシグナリング・メッセージに一時的に相関させることが十分である可能性がある。たとえば、送信された唯一のそのようなシグナリング・メッセージが存在し、ページ事象表示が、ＰｏＣシグナリングが被呼モバイル局に送信された１秒後にモビリティ・データ・ネットワーク１１８、１２０からＰｏＣシグナリング・ネットワーク１２２に到着する場合、これは、通常、ページ事象表示が適用されるＰｏＣシグナリング・メッセージを識別するのに十分である。
【００４８】
本発明の一実施形態では、モビリティ・データ・ネットワーク１１８、１２０がＰｏＣシグナリングから送信ＰｏＣサーバ１１２のＩＰアドレスを決定する３つの方法が記述される。第１の方法は、ＩＰルーティングの観点から、対応ノードのアドレスと呼ばれることが可能である、ＰｏＣシグナリング・パケットのソースＩＰアドレスを調査するために、モビリティ・データ・ネットワーク１１８、１２０を使用する。すなわち、ＰｏＣシグナリングを送信したＰｏＣサーバ１１２は、対応ノードである。したがって、このソースＩＰアドレスも、対応ノード・アドレスと呼ばれる。トンネリングおよびカプセル化を含むいくつかの輸送構成では、上述されたように、対応アドレスは、パケット自体のソース・アドレスと同一ではない可能性があるが、それにも関わらず、ＩＰヘッダの他のＩＰ層または部分に含まれる。一例が、コロケートされた気付きアドレス・モバイルＩＰ（ＭＯＢＩＬＥＩＰ）であり、この仕様は、この場合はＰｏＣサーバ１１２のアドレスである対応ノード・アドレスを明確に識別する。
【００４９】
モビリティ・データ・ネットワーク１１８、１２０がＰｏＣシグナリングから送信ＰｏＣサーバのＩＰアドレスを決定する第２の方法は、モバイル局１０４、１０６が、ＰｏＣシグナリングを認識するフィルタにおいて、モバイル・データ・ネットワーク１１８、１２０にＰｏＣサーバ１１２のＩＰアドレスを通知することである。これは、当然、モバイル局１０４、１０６が、そのＰｏＣサーバ１１２のＩＰアドレスを有する、またはそれを決定することができることを必要とする。少なくともいくつかのＰｏＣシステムでは、モバイル局１０４、１０６は、このＩＰアドレスを得る、または決定することが可能ではないが、この方法は、完全性のために含まれる。
【００５０】
モビリティ・データ・ネットワーク１１８、１２０がＰｏＣシグナリングから送信ＰｏＣサーバ１１２のＩＰアドレスを決定する第３の方法は、暗号化または圧縮されていないＰｏＣシグナリング・メッセージに依拠し、モビリティ・データ・ネットワーク１１８、１２０が、ＰｏＣシグナリングのＰｏＣシグナリング・パラメータの少なくともいくつかを理解するとさらに想定する。この場合、モビリティ・データ・ネットワーク１１８、１２０は、シグナリング・メッセージからＰｏＣサーバのＩＰアドレスを抽出し、または、モビリティ・データ・ネットワーク１１８、１２０がＰｏＣサーバＩＰアドレスを決定することができるＰｏＣシグナリングから間接情報を抽出する。データ・ネットワーキングの分野の慣例では、これは、層化違反と呼ばれることがあるが、その理由は、モビリティ・データ・ネットワーク１１８、１２０が、モビリティ・データ・ネットワーク１１８、１２０の権限では適切ではないプロトコル層にアクセスするからである。この用語にも関わらず、層化違反は、多くのデータ・ネットワーキング体系において広範に実施される。モビリティ・データ・ネットワーク１１８、１２０が、ＰｏＣシグナリングを送信したＰｏＣサーバ１１２のＩＰアドレスを決定するために、これらの層を調査する場合、通常、あらゆる実質的な方式でこれらの層を変更または修正しない。
【００５１】
当業者なら、ＰｏＣシグナリング・メッセージが暗号化され、ＰｏＣシグナリングの転送に含まれるＰｏＣシグナリング・ネットワーク媒介物が存在する場合、直接ページ事象スピーク表示は、適用可能ではない可能性があり、間接ページ事象スピーク表示が、代わりに使用されることが可能である。
【００５２】
モビリティ・データ・ネットワーク・フィルタがページ事象スピーク表示として認識したＰｏＣシグナリング・メッセージを、モビリティ・データ・ネットワーク１１８、１２０が光学的にコピーする理由は、ページ事象スピーク表示を受信するとき、ＰｏＣサーバ１１２がセキュリティ保証を調査して、メッセージの確実性の絶対的な判定を行うことを可能にすることである。そのようなセキュリティが重要ではない場合、またはそのようなセキュリティが、ＰｏＣシグナリング自体の暗号化以外の手段によって達成されることが可能である場合、モバイル局１０４、１０６のＩＰアドレスなど、モビリティ・データ・ネットワーク・フィルタがページ事象スピーク表示として認識したＰｏＣシグナリング・メッセージの一部のみを含むことが可能であることがある。
【００５３】
直接ページ事象スピーク表示が行われることが可能である通常のシナリオが、図２に示される。本発明を不必要にあいまいにすることを回避するために、図１のＰｏＣシグナリング・ネットワーク１２２は、図２から省略される。このシナリオでは、ＰｏＣシグナリング・ネットワーク１２２は、モビリティ・データ・ネットワーク１１８、１２０とＰｏＣサーバ１１２との間でＰｏＣシグナリングを転送するように作用する。このシナリオも、ワイヤレス・ネットワークが、ＰｏＣコールを確立することができないという知識を所有せず、また、モバイル局が、ＰｏＣコールをサポートすることができないという知識を所有しないという想定に基づく。さらに、このシナリオは、ワイヤレス・ネットワークもモバイル局も、それらがＰｏＣコールをサポートすることができないシナリオ中、知識を獲得しないという想定にも基づく。
【００５４】
モバイル局１０４、１０６が、ＰｏＣサーバ１１２Ａおよび１１２Ｂをそれぞれ以前に割り当てられていると想定する。モバイル局１０６は休眠状態であり、したがって、そのラジオ・ネットワーク１１４への無線接続を有さないと想定する。モバイル局１０４（スピーカ）は、話すためにボタンを押すと想定する。モバイル局１０４が休眠状態であり、したがってワイヤレス・ネットワークへの無線接続を有さない場合、モバイル局１０４は接続を得る。
【００５５】
モバイル局１０４は、そのラジオ・ネットワーク１１６への無線接続を介して、スピーク要求メッセージをＰｏＣサーバ１１２Ａに送信し、ラジオ・ネットワーク１１６は、モビリティ・パケット・データ・システムおよびＰｏＣシグナリング・ネットワーク１２２を介して、そのメッセージをＰｏＣサーバ１１２Ａに順送りする。その要求は、モバイル局１０６、およびモバイル局１０４がコールのために使用することを所望するコデックのタイプなどの他の情報を識別する。いくつかのコール・シナリオでは、コデック情報および他のパラメータが、以前にネゴシエーションされていることが可能である。ＰｏＣコールのそのようなパラメータのネゴシエーションの適切なタイミングは、本発明には関係ない。
【００５６】
ＰｏＣシグナリング要求を受信すると直ちに、ＰｏＣサーバ１１２Ａは、ＰｏＣサーバ１１２Ｂがモバイル局１０６をサポートするかを判定して、接続メッセージをＰｏＣサーバ１１２Ｂに送信する。そのような接続は、一般的なＰｏＣワイヤレス・ネットワーク環境において必要とされる可能性がある。当業者なら、メッセージがやはりＰｏＣシグナリング・ネットワークを介してＰｏＣサーバ１１２Ｂに進行する際に、媒介物として作用し、かつ追加のＰｏＣ機能を実施する（図１で「ＰｏＣサーバ１１２Ｃ」と称される）追加のＰｏＣサーバが含まれることが可能であることを理解するであろう。これらの追加のＰｏＣサーバ１１２Ｃは、本発明に影響を与えず、図２のメッセージ・フローにおいて反映されていない。
【００５７】
ＰｏＣサーバ１１２ＡおよびＰｏＣサーバ１１２Ｂは、媒体がモバイル局１０４とモバイル局１０６との間で転送されるように接続を構成する。本発明のいくつかの実施形態では、両方のＰｏＣサーバを経る代わりに、一方のＰｏＣサーバのみへのすべての媒体フローを有することが有用である可能性がある。接続シグナリング・メッセージの目的は、ワイヤレス・ネットワークの現行ポリシに従って、適切な媒体について経路指定および分布（ならびに複製）を構成することである。さらに、ＰｏＣサーバ１１２Ａ、１１２Ｂは、媒体の複製または他の媒体処理を、図２には示されていない他のエンティティンに委託することが可能である。他のエンティティへのそのような委託は、本明細書に記述される本発明に影響を与えない。
【００５８】
ＰｏＣサーバ１１２Ｂへの接続を確立した後、ＰｏＣサーバ１１２Ａは、ＰｏＣシグナリング・ネットワーク１２２を介してモビリティ・データ・ネットワーク１１８へ「モバイル局１０６に話す要求（Ｒｅｑｕｅｓｔ  ｔｏ  Ｓｐｅａｋ  ｔｏ  ｔｈｅ  ｍｏｂｉｌｅ  ｓｔａｔｉｏｎ  １０６）」を送信する。ＰｏＣサーバ１１２Ｂは、モバイル局１０６のモビリティ・データ・ネットワーク１１８にモバイル局１０６に話す要求を送信する。
【００５９】
モビリティ・データ・ネットワーク１１８は、ＰｏＣコールを確立または続行する際に、ＰｏＣシグナリング（すなわち、「モバイル局１０６に話す要求」メッセージ）を認識して、このＰｏＣシグナリング・メッセージのコピーを作成するフィルタを有する。上述されたように、このシナリオは、モバイル局１０６が休眠状態にあると想定する。ラジオ・ネットワーク１１４は、モバイル局１０６への接続をトリガするために、ページ・メッセージをモバイル局１０６に送信する。モビリティ・データ・ネットワーク１１８は、ＰｏＣサーバ１１２ＢのＩＰアドレスを決定することができる。モバイル局１０６は、ページ応答でページに応答する。モバイル局１０６は、そのラジオ・ネットワーク１１４への接続を確立するプロセスを開始する。
【００６０】
モビリティ・データ・ネットワーク１１８は、モバイル局１０６からページ応答メッセージを受信し、ページ事象スピーク表示をＰｏＣサーバ１１２Ｂに送信する。ページ事象スピーク表示は、モバイル局１０６の少なくともＩＰアドレスを有するが、本発明の一実施形態では、スピーク表示は、モバイル局１０６へのページ要求をトリガした全「モバイル局１０６に話す要求」メッセージのコピーを有する。ＰｏＣサーバ１１２Ｂは、このコールについてＰｏＣサーバ１１２Ａを識別する。ＰｏＣサーバ１１２Ｂは、シグナリングが適用されるコールを識別することができるが、その理由は、ＰｏＣサーバ１１２Ａが、ページ事象スピーク表示で識別されたコールに関連付けられるからである。ページ事象スピーク表示が、フィルタによって認識された全ＰｏＣシグナリング・メッセージ（図２の「モバイル局１０６に話す要求」）を有するとき、それは、コールおよびしたがってＰｏＣサーバ１１２Ｂを識別するのに十分である。代替として、ページ事象スピーク表示が、モバイル局１０６のＩＰアドレスのみを含む場合、それは、コール、したがってＰｏＣサーバ１１２Ａを認識するのに十分である可能性が非常に高いが、その理由は、ＰｏＣシグナリングの実施では、一度に１つの要求のみがモバイル局に送信されるからである。定義によって、ＰｏＣサーバでは、一度に１つのモバイル局のみが、話すことを許可される。ワイヤレス・ネットワークＰｏＣサービスは、ＰｏＣコール要求においてアドレス指定された所与のユーザまたはユーザのグループに任意の所与の時間に話すために、唯一のモバイル局を決定すると予期される。したがって、ＰｏＣサービスでは、モバイル局が、２つ以上のモバイル局に属する要求を同時に受信することは、一般に行われない。
【００６１】
ＰｏＣサーバ１１２Ｂは、ページ事象スピーク表示をＰｏＣサーバ１１２Ａに送信する。ＰｏＣサーバ１１２Ａは、ページ事象確認スピーク表示を、モバイル局１０６がコールを受容するモバイル局１０４に送信する。ユーザは、モバイル局１０４に話しかけ、ＰｏＣサーバ１１２Ａは、モバイル局１０４の媒体（スピーチ）のバッファリングを開始する。
【００６２】
ここで、モバイル局１０６が、この段階で図１のラジオ・ネットワークのポリシに従って１つまたは複数の無線接続を確立しており、モビリティ・データ・ネットワーク１１８が、モバイル局１０６に話す要求メッセージをモバイル局１０６に送信すると想定する。代わりに、モバイル局１０６が、１つまたは複数の無線接続を確立することができなかった場合、現在話している被呼ユーザは、コールが失敗したことを通知されることが必要である。また、上述されたように、このシナリオは、モバイルがＰｏＣコールをサポートすることを妨害する活動にモバイルが従事しているなど、ある理由で、ＰｏＣを確立することができないとワイヤレス・ネットワークまたはモバイルが判定する情報が存在しないという想定に基づく。そのような他の理由がない場合、ＰｏＣコールの失敗は、無線接続以外のページ応答機構に関わる様々なラジオ・リソースのために通常生じ、まれにしか起きない。
【００６３】
モバイル局１０６は、ＰｏＣシグナリングを処理し、モビリティ・データ・ネットワーク１１８を介して、「モバイル局１０６受容」（ｍｏｂｉｌｅ  ｓｔａｔｉｏｎ  １０６  Ａｃｃｅｐｔｓ）メッセージをＰｏＣサーバ１１２Ｂに送信する。ＰｏＣサーバ１１２Ｂは、「モバイル局１０６受容」メッセージをＰｏＣサーバ１１２Ｂに送信する。ＰｏＣサーバ１１２Ａは、ＰｏＣサーバ１１２Ｂおよびモビリティ・データ・ネットワーク１１８を介して、媒体（スピーチ）をモバイル局１０６に送信する。
【００６４】
以上のシナリオでは、２つのＰｏＣサーバ、すなわちＰｏＣサーバ１１２ＡおよびＰｏＣサーバ１１２Ｂが、ＰｏＣコールをサポートする。本発明の代替実施形態では、単一のＰｏＣサーバが、両方のモバイル局をサポートするために使用されることが可能である。この単一ＰｏＣサーバ動作モードでは、ＰｏＣサーバは、上記のすべてのＰｏＣサーバ機能を実施するが、上記で概述されたように、接続要求メッセージが存在しない点が異なる。
【００６５】
それぞれがＰｏＣサーバを有する３つ以上のモバイル局が存在するとき、本発明の機構により、発呼モバイル局のＰｏＣサーバは、おそらくは２つ以上のページ事象スピーク表示メッセージを受信することになる。そのような複数ページ事象スピーク表示の場合、発呼ＰｏＣサーバは、コールに含まれる任意のＰｏＣサーバからの第１ページが到着するとすぐに、発呼モバイル局にページ事象確認スピーク表示メッセージを提供する。他の表示は、さらなる行為を必要としない。
【００６６】
直接否定ページ事象スピーク表示が行われることが可能である通常のシナリオが、図５に示される。本発明を不必要にあいまいにすることを回避するために、図１のシグナリング・ネットワーク１２２は、図５から省略される。このシナリオは、ワイヤレス・ネットワークが、ＰｏＣコールを確立することができないという知識を所有する、または、ワイヤレス・ネットワークが、シナリオ中、およびモバイルへのページの前に、ＰｏＣコールを確立することができないという知識を得るという想定に基づく。
【００６７】
モビリティ・データ・ネットワーク１１８が、ＰｏＣコールを確立または続行する際にＰｏＣシグナリング（すなわち、「モバイル局１０６に話す要求」メッセージ）を認識するフィルタを有し、このＰｏＣシグナリング・メッセージのコピーを作成すると想定する。図２に関連付けられる以前のシナリオと同様に、モバイル局１０６が休眠状態であると想定する。最初の４工程は、以前のシナリオと同じである（すなわち、モバイルＡからＰｏＣサーバ１１２Ａへの「モバイル局１０６に話す要求」メッセージ、ＰｏＣサーバ１１２Ｂへの接続要求、ＰｏＣサーバ１１２ＡからＰｏＣサーバ１１２ＢおよびＰｏＣサーバ１１２Ｂからモバイル・データ・ネットワーク１１８への「モバイル局１０６に話す要求」）。
【００６８】
ラジオ・ネットワーク１１４が、ラジオ・リソースが不十分であるために、または、モバイル局が他の活動に従事し、ＰｏＣを同時にサポートすることができないために、ＰｏＣコールを確立することが可能ではないという知識を所有する場合、モバイル・データ・ネットワーク１１８は、否定ページ事象表示をＰｏＣサーバ１１２Ｂに送信し、ＰｏＣサーバ１１２Ｂは、同様に、否定ページ事象表示をＰｏＣサーバ１１２Ａに送信する。図２のシナリオと同様に、その表示は、モバイル局およびＰｏＣコールの識別についてＰｏＣサーバを補助するための「モバイル１０６の話す要求」のコピー、ならびに否定ページ事象表示の認証の確認を搬送することが可能である。ＰｏＣサーバ１１２Ａは、コールを破棄すべきであることをモバイル局１０４に示す。
【００６９】
ワイヤレス・ネットワークは、モバイル局がページに応答するときのモバイル局の位置を認識するまで、ＰｏＣを確立することができないという知識を得ないということが生じる可能性がある。図６は、ページをモバイル局１０６に送信するモバイル・データ・ネットワーク１１８を示す。ＲＡＮ１１４からモバイル局１０６へのページ要求に至る他の工程は、図５とほぼ同様である。
【００７０】
ページ応答を受信すると直ちに、モバイル・データ・ネットワーク１１８は、ラジオ・リソースまたはシステム・リソースのためにＰｏＣコールを確立することができないと判定する。または、同様に、モバイル局１０６は、本文書の範囲外の手段によってページ要求がＰｏＣコールに適用されると判定することができ、ＰｏＣコールを確立することができない、またはそうでない場合はＰｏＣコールを受容することができないことについて、やはり本文書の範囲外の手段によって否定表示を伝達するページ応答で返答する。これらの事象の両方に関して、モバイル・データ・ネットワーク１１８は、否定ページ事象をＰｏＣサーバ１１２Ｂに送信し、ＰｏＣサーバ１１２Ｂは、次いで、これをＰｏＣサーバ１１２Ａに送信し、ＰｏＣサーバ１１２Ａは、ＰｏＣコールを破棄するように、ユーザに警告する。
【００７１】
また、ＲＡＮ１１４がページをモバイル局に送信するが、通常のラジオ・フィールド・ガイドラインに相応する所要時間内にページ応答を受信しないということも起きる可能性がある。再び、モバイル・データ・ネットワーク１１８は、否定ページ事象をＰｏＣサーバ１１２Ｂに送信し、ＰｏＣサーバ１１２Ｂは、次いでこれをＰｏＣサーバ１１２Ａに送信し、ＰｏＣサーバ１１２Ａは、ＰｏＣコールを破棄するようにユーザに警告する。
【００７２】
上記で説明されたように、被呼モバイル局のモビリティ・データ・ネットワーク１１８は、発呼モバイル局をサポートするＰｏＣサーバのＩＰアドレスを決定することができないという可能性がある。このようなワイヤレス・ネットワークでは、上記で議論された間接ページ事象スピーク表示が適用可能である。
【００７３】
このセクションは、ワイヤレス・ネットワークに基づくプレゼンス・サービスを使用する間接ページ事象スピーク表示の代替実施形態を示す。本発明のこの実施形態は、図１のワイヤレス・ネットワークのプレゼンス・サービスに関する以下の想定を使用する。モビリティ・データ・ネットワーク１１８、１２０は、ユーザのモバイル局１０４、１０６がＩＰアドレスまたはモバイルＩＰ気付きアドレスを受信するとき（「ＩＰアドレス獲得」事象と呼ばれることがある）、プレゼンス通知を生成することができる。これは、外部エージェント（ＦＡ）およびコロケートされた気付きアドレス（ＣｏＡ）の獲得の両方を含む。モバイルＩＰでは、しばしば見られるＩＰアドレスは、ページングに関与しておらず、したがってページ事象通知にも関与していないホーム・エージェントから実際に来ている。
【００７４】
モビリティ・データ・ネットワーク１１８、１２０は、これらのプレゼンス通知を、図１の被呼モバイル局のプレゼンス・サーバ１２４に送信する。この通知は、モバイル局１０４、１０６がパケット・データ・サービス能力を有すること、すなわちＩＰパケットを送信および受信する能力を有することをプレゼンス・サーバ１２４に警告する。このタイプの事象は、一般に、３Ｇワイヤレス・ネットワークにおいて展開される。プレゼンス通知を生成する通常の実施によれば、プレゼンス通知は、モビリティ・データ・ネットワーク１１８、１２０のネットワーク・プレゼンス機能を識別するアブストラクト・プレゼンス識別子を含む。
【００７５】
モバイル局１０４、１０６のＰｏＣサーバ１１２は、モバイル局の事象に加入することができる。具体的には、ＰｏＣサーバ１１２は、本明細書における本発明のページ事象に関連する「ページ事象」通知に加入する。
【００７６】
モバイル局１０４、１０６またはネットワーク動作は、フィルタによって認識されたパケットを受信すると直ちにページ事象通知を生成するフィルタをモビリティ・データ・ネットワーク１１８、１２０において創出することができる。モバイル・データ・ネットワーク１１８、１２０は、これらのプレゼンス通知をモバイル局のプレゼンス・サーバ１２４に送信する。本発明の一実施形態では、ページ事象通知は、フィルタが認識したＰｏＣシグナリング・メッセージのコピーを含む。最小限、通知は、モバイル局のＩＰアドレスを含む。
【００７７】
上記の想定に基づいて、本発明の間接ページ事象表示モードは、ページ事象通知に加入する被呼モバイル局のＰｏＣサーバ１１２によって動作する。ここで図３を参照すると、モバイル局１０４は、ＩＰアドレスおよび／またはモバイルＩＰ気付きアドレスを得る。モバイル・データ・ネットワーク１２０は、プレゼンス通知をモバイル局のプレゼンス・サーバ１２４に送信する。この通知は、モバイル局１０４のモビリティ・データ・ネットワーク１２０に関連するプレゼンス・アイデンティティを含む。モバイル局１０４は、ＰｏＣサーバ１１２Ａを割り付けられ、ＰｏＣサーバを確立する。これは、ＰｏＣサーバを受信するために、モバイル局１０４の認証および許可を含む可能性が高い。直後、いくつかのＰｏＣシステムでは、モバイル局１０４は、後に行われるコールについてあるパラメータをネゴシエーションすることが可能である。
【００７８】
ＰｏＣサーバ１１２Ａは、加入ページ事象メッセージをモバイル局のプレゼンス・サーバ１２４に送信することによって、ページ事象通知に加入する。プレゼンス・サーバ１２４は、加入ページ事象メッセージを、モバイル局１０４をサポートするモビリティ・データ・ネットワーク１２０に送信することによって、ページ事象通知に加入する。プレゼンス・サーバ１２４は、加入を有するモビリティ・データ・ネットワーク１２０内においてプレゼンス・エンティティをアドレス指定するために、このシナリオの上記で識別された通知のプレゼンス・アイデンティティを使用する。
【００７９】
この時点において、図４のモバイル１０４がモバイル局１０６にコールするまで、さらなる活動は行われない。これは、図３のシナリオが完了した直後、またははるかに後とすることが可能である。しかし、時間が経過し過ぎた場合、図３のメッセージのいくつかまたはすべてが、加入の満了を回避するために、繰り返されるはずである。
【００８０】
図４は、間接ページ事象スピーク表示動作の工程を示す。モバイル局１０４は、やはりＰｏＣサーバ１１２Ａを以前に割り当てられていたと想定する。本発明を不必要にあいまいにすることを回避するために、このシナリオは、両方とも図１に示されているモバイル局１０４のＰｏＣシグナリング・ネットワーク１２２およびモビリティ・データ・ネットワーク１２０を省略する。モバイル局１０６のモビリティ・データ・ネットワーク１１８は、パケットをモバイル局１０４に、およびモバイル局１０４から転送するためにのみ作用する。ＰｏＣシグナリング・ネットワーク１２２の動作がシナリオに影響を与える場合、注釈が以後のテキストにおいて作成される。
【００８１】
モバイル局１０６は、そのラジオ・ネットワーク１１４への接続を有さないと想定する。モバイル局１０４（スピーカ）は、話すためにボタンを押すと想定する。モバイル局１０４がワイヤレス・ネットワークへの接続を有さない場合、モバイル局１０４は接続を得る。
【００８２】
このシナリオは、図２において上記で議論されたシナリオとほぼ同様の想定をする。しかし、大きな違いがある場合、補足説明される。このシナリオも、ワイヤレス・ネットワークが、ＰｏＣコールを確立することができないという知識を所有しない、およびモバイル局が、ＰｏＣコールをサポートすることができないという知識を所有しない、という想定に基づく。さらに、このシナリトは、ワイヤレス・ネットワークもモバイル局も、ＰｏＣコールをサポートすることができないという知識をシナリオ中に獲得しないという想定にも基づく。
【００８３】
モバイル局１０４は、無線接続を介して、ＰｏＣサーバ１１２Ａへのスピーク要求メッセージをラジオ・ネットワーク１１６に送信し、ラジオ・ネットワーク１１６は、モビリティ・データ・ネットワーク１２０およびＰｏＣシグナリング・ネットワーク１２２を介して、そのメッセージをＰｏＣサーバ１１２Ａに順送りする。ＰｏＣシグナリング要求を受信すると直ちに、ＰｏＣサーバ１１２Ａは、ＰｏＣサーバ１１２Ｂがモバイル局１０６をサポートすることを判定し、接続メッセージをＰｏＣサーバ１１２Ｂに送信する。ＰｏＣサーバ１１２Ｂへの接続を確立した後、ＰｏＣサーバ１１２Ａは、スピーク要求メッセージを、モバイル局１０４からＰｏＣシグナリング・ネットワーク１２２、モビリティ・データ・ネットワーク１１８、次いでモバイル局１０６に送信する。ラジオ・ネットワーク１１４は、モバイル局１０６への接続をトリガするために、ページ要求メッセージをモバイル局１０６に送信する。モビリティ・データ・ネットワーク１１８は、想定によって、ＰｏＣサーバ１１２ＢのＩＰアドレスを決定することができない。モバイル局１０６は、ページ応答メッセージでページ要求に応答する。モバイル局１０６は、この工程において、ラジオ・ネットワーク１１４への接続の確立を開始する。モビリティ・データ・ネットワーク１１８は、ページ応答メッセージを受信し、ページ事象スピーク通知をモバイル局１０６のプレゼンス・サーバ１２４に送信する。プレゼンス・サーバ１２４は、そのような通知に以前に加入していた（上記の議論参照）。その通知は、モバイル局１０６の少なくともＩＰアドレスを有するが、本発明の示された実施形態では、ページ要求を生じたモバイル局１０６への全スピーク要求のコピーを有する。
【００８４】
プレゼンス・サーバ１２４は、ページ事象スピーク通知をＰｏＣサーバ１１２Ｂに送信し、ＰｏＣサーバ１１２Ｂは、そのような通知のために以前に登録されていた。ＰｏＣサーバ１１２Ｂは、プレゼンス・サーバ１２４によって送信された通知を受信し、このコールについてＰｏＣサーバ１１２Ａを識別する。ＰｏＣサーバ１１２Ｂは、コールを識別することができ、したがって、シグナリングが適用されるＰｏＣサーバ１１２Ａを識別することができる。これは、ページ事象スピーク通知に基づいてコールを識別することができると想定する。ページ事象スピーク通知が、フィルタによって認識された全ＰｏＣシグナリング・メッセージを有するとき（すなわち、図４の「モバイル局１０６に話す要求」）、それは、適切なコール、したがってＰｏＣサーバ１１２Ｂを決定するのに通常十分である。ページ事象スピーク通知がモバイル局のＩＰアドレスのみを含む場合、それは、コール、したがってＰｏＣサーバ１１２Ａを認識するのに十分である可能性が非常に高いが、その理由は、上記で議論されたように、ＰｏＣシグナリングの実施では、一度に１つの要求のみがモバイル局に送信されることが可能であるからである。
【００８５】
ＰｏＣサーバ１１２Ｂは、ページ事象スピーク表示をＰｏＣサーバ１１２Ａに送信する。ＰｏＣサーバ１１２Ａは、ページ事象確認スピーク表示を、モバイル局１０６がコールを受容するモバイル局１０４に送信する。ユーザは、モバイル局１０４に話しかけ、ＰｏＣサーバ１１２Ａは、モバイル局１０４から受信された媒体（スピーチ）のバッファリングを開始する。
【００８６】
モバイル局１０６は、この段階で、無線接続を確立しており、モビリティ・データ・ネットワーク１１８は、「モバイル局１０６に話す要求」メッセージをモバイル局１０６に送信する。モバイル局１０６は、ＰｏＣシグナリングを処理し、モビリティ・データ・ネットワーク１１８を介して、「モバイル局１０６受容」メッセージをＰｏＣサーバ１１２Ｂに送信する。ＰｏＣサーバ１１２Ｂは、「モバイル局１０６受容」メッセージをＰｏＣサーバ１１２Ｂに送信する。ＰｏＣサーバ１１２Ａは、ＰｏＣサーバ１１２Ｂおよびモビリティ・データ・ネットワーク１１８を介して、媒体（スピーチ）をモバイル局１０６に送信する。
【００８７】
以上のシナリオでは、２つのＰｏＣサーバ、すなわちＰｏＣサーバ１１２ＡおよびＰｏＣサーバ１１２Ｂが、コールをサポートする。同じＰｏＣサーバが両方のモバイル局１０４、１０６をサポートするとき、そのＰｏＣサーバは、上記の機能を実施するが、２つのＰｏＣサーバ間に接続メッセージが存在しない点が異なる。
【００８８】
それぞれがＰｏＣサーバを有する３つ以上のモバイル局が存在するとき、本発明の上記の機構により、発呼モバイル局のＰｏＣサーバは、おそらくは２つ以上のページ事象スピーク表示メッセージを受信することになる。すなわち、発呼モバイルのＰｏＣサーバは、被呼モバイル局のＰｏＣサーバを介してページ事象スピーク表示を受信することが可能であり、被呼モバイル局のＰｏＣサーバは、各モバイル局のプレゼンス・サーバからページ事象スピーク通知を受信する。複数のそのようなページ事象スピーク表示の場合、上述された本発明の直接ページ事象モードの場合と同様に、発呼ＰｏＣサーバは、コールに含まれる任意の被呼ＰｏＣサーバから第１ページ事象スピーク表示が到着すると直ちに、発呼モバイル局にページ事象確認スピーク表示メッセージを提供する。他の表示は、さらなる行為を必要としない。
【００８９】
間接否定ページ事象スピーク表示が行われることが可能である通常のシナリオが、図７に示される。本発明を不必要にあいまいにすることを回避するために、図１のＰｏＣシグナリング・ネットワーク１２２は、図７から省略される。
【００９０】
図３の加入が上述されたように行われ、モビリティ・データ・ネットワーク１１８が、ＰｏＣコールを確立または続行する際に、ＰｏＣシグナリング（すなわち、「モバイル局１０６に話す要求」メッセージ）を認識するフィルタを有すると想定する。図４に関連するシナリオと同様に、モバイル局１０６は休眠状態であると想定する。最初の４工程は、図４のシナリオと同じである（すなわち、モバイル局１０４からＰｏＣサーバ１１２Ａへの「モバイル局１０６に話す要求」、ＰｏＣサーバ１１２ＡからＰｏＣサーバ１１２Ｂへの接続要求、ＰｏＣサーバ１１２ＡからＰｏＣサーバ１１２Ｂへの「モバイル局１０６に話す要求」、およびＰｏＣサーバ１１２Ｂからモバイル・データ・ネットワーク１１８への「モバイル局１０６に話す要求」）。
【００９１】
「モバイル局１０６に話す要求」を受信すると直ちに、モバイル・データ・ネットワーク１１８は、ＰｏＣコールがモバイル局１０６についてであることを判定する。ラジオ・ネットワーク１１４は、ラジオ・リソースが不十分であるために、またはモバイル局１０６が他の活動に従事しており、かつＰｏＣコールを同時にサポートすることができないために、モバイル局１０６へのＰｏＣコールを確立することが可能ではないという知識を所有する。モバイル・データ・ネットワーク１１８は、図７に示されるように、否定ページ事象スピーク通知を創出して、それをプレゼンス・サーバ１２４に送信する。図７では、プレゼンス・サーバ１２４は、否定ページ事象通知をＰｏＣサーバ１１２Ｂに送信する。ＰｏＣサーバ１１２Ｂは、プレゼンス・サーバ１２４によって送信された通知を受信し、このコールについてＰｏＣサーバ１１２Ａを識別する。ＰｏＣサーバ１１２Ｂも、コールを識別することができ、したがってシグナリングが適用されるＰｏＣサーバ１１２Ａを識別することができる。これは、否定ページ事象スピーク通知に基づいてコールを識別することができると想定する。否定ページ事象スピーク通知が、フィルタによって認識された全ＰｏＣシグナリング・メッセージを有するとき（すなわち、図７の「モバイル局１０６に話す要求」）、これは、適切なコール、したがってＰｏＣサーバ１１２Ｂを決定するのに通常十分である。否定ページ事象通知が、モバイル局のＩＰアドレスのみを含む場合、これは、コール、したがってＰｏＣサーバ１１２Ａを認識するのに十分である可能性が非常に高いが、その理由は、上記で議論されたように、ＰｏＣシグナリングの実施では、一度に１つの要求のみがモバイル局に送信されることが可能であるからである。ＰｏＣサーバ１１２Ｂは、ページ事象スピーク表示をＰｏＣサーバ１１２Ａに送信する。ＰｏＣサーバ１１２Ａは、コールを破棄するために、否定ページ事象確認スピーク表示をモバイル局１０４に送信し、ユーザは、コールを破棄する。
【００９２】
モバイル局１０６がページ要求に応答するときのモバイル局１０６の正確な位置をモバイル・データ・ネットワーク１１８が認識するまで、モバイル・データ・ネットワーク１１８が、モバイル局１０６へのＰｏＣコールを確立することができないという知識を得ないということが起きる可能性がある。図８は、ページ要求をモバイル局１０４、１０６に送信するモバイル・データ・ネットワーク１１８を示す。
【００９３】
モバイル局１０６にまで至るが、モバイル局１０６へのページ要求を含まない他の工程は、図７を参照して示され、議論された工程とほぼ同様である。モバイル・データ・ネットワーク１１８は、ページ要求をモバイル局１０６に送信する。ページ応答を受信すると直ちに、モバイル・データ・ネットワーク１１８は、ラジオ・リソースまたはシステム・リソースのために、もしくは他の理由のために、ＰｏＣコールを確立することができないと判定する。あるいは、同様に、モバイル局１０６は、この文書の範囲外の手段によってページ要求がＰｏＣコールに適用されると判定することができ、ＰｏＣコールを確立することができない、またはそうでない場合は受容することができないことに関して、否定表示を伝達する、本文書の範囲外の手段によるページ応答で返答する。これらの事象の両方に関して、モバイル・データ・ネットワーク１１８は、否定ページ事象スピーク表示をプレゼンス・サーバ１２４に送信し、プレゼンス・サーバ１２４は、次いで、否定ページ事象スピーク通知をＰｏＣサーバ１１２Ｂに送信し、ＰｏＣサーバ１１２Ｂは、ＰｏＣコールを破棄するようにユーザに警告する否定ページ事象確認スピーク表示を介して、ＰｏＣサーバ１１２Ａに伝達する。
【００９４】
また、ＲＡＮ１１４がページをモバイル局に送信するが、通常のラジオ・フィールド・エンジニアリング・ガイドラインに相応する所要時間内にページ応答を受信しないことも起きる可能性がある。再び、モバイル・データ・ネットワーク１１８は、否定ページ事象スピーク通知をプレゼンス・サーバ１２４に送信し、プレゼンス・サーバ１２４は、次いで、否定ページ事象スピーク通知をＰｏＣサーバ１１２Ｂに送信し、ＰｏＣサーバ１１２Ｂは、次いで、ＰｏＣコールを破棄するようにユーザに警告する否定ページ事象確認スピーク表示を介して、ＰｏＣサーバ１１２Ａに伝達する。
【００９５】
当業者なら、本明細書の様々な実施形態において示された様々なシステムの層、ルーチン、またはモジュールは、実行可能制御ユニット（モビリティ・ルーティング・ネットワーク１０８、１１０、またはＰｏＣシグナリング・ネットワーク１１２（図１参照）など）とすることが可能であることを理解するであろう。制御ユニットは、マイクロプロセッサ、マイクロコントローラ、デジタル信号プロセッサ、プロセッサ・カード（１つまたは複数のマイクロプロセッサまたはコントローラを含む）、あるいは他の制御装置または演算装置を含むことが可能である。本議論において言及された記憶装置は、データおよび命令を記憶する１つまたは複数の機械可読記憶媒体を含むことが可能である。記憶媒体は、動的または静的ランダム・アクセス・メモリ（ＤＲＡＭまたはＳＲＡＭ）消去可能プログラム可能読取り専用メモリ（ＥＰＲＯＭ）、電気的消去可能プログラム可能読取専用メモリ（ＥＥＰＲＯＭ）、およびフラッシュメモリなどの半導体メモリ素子、固定ディスク、フロッピ・ディスク、取外し可能ディスクなどの磁気ディスク、テープを含む他の磁気媒体、ならびにコンパクト・ディスク（ＣＤ）またはデジタル・ビデオ・ディスク（ＤＶＤ）などの光学媒体を含む様々な形態のメモリを含むことが可能である。様々なシステムにおいて様々なソフトウエアの層、ルーチン、またはモジュールを作成する命令が、それぞれの記憶装置に記憶されることが可能である。命令は、それぞれの制御ユニットによって実行されるとき、対応するシステムにプログラムされた行為を実施させる。
【００９６】
上記で開示された特定の実施形態は、単なる例示であるが、その理由は、本発明は、本明細書の教示の利益を有する当業者には明らかである、異なるが等価な方式で修正および実施されることが可能であるからである。さらに、特許請求の範囲に記述されるものを除いて、示された本明細書の命令または設計の詳細を限定することを意図しない。したがって、上記で開示された特定の実施形態は、変更または修正されることが可能であり、すべてのそのような変更は、本発明の範囲および精神内にあると見なされることが明らかである。したがって、本明細書において探求された保護範囲は、特許請求の範囲において述べられる。
【図面の簡単な説明】
【００９７】
【図１】パケット・データ・ワイヤレス・ネットワークのブロック図である。
【図２】図１に示されたネットワークの直接ページ事象動作のコール・シナリオを示す図である。
【図３】間接ページ事象表示加入動作のコール・シナリオを示す図である。
【図４】間接ページ事象表示動作のコール・シナリオを示す図である。
【図５】直接否定ページ事象スピーク表示が行われることが可能である通常のコール・シナリオを示す図である。
【図６】ページ応答が受信された後に、直接否定ページ事象スピーク表示が行われることが可能である、コール・シナリオを示す図である。
【図７】間接否定ページ事象スピーク表示が行われることが可能である通常のコール・シナリオを示す図である。
【図８】ページ要求をモバイル局に送信するモバイル・データ・ネットワークを示す図である。
【図１】
2005354692.tif 000003
【図２】
2005354692.tif 000004
【図３】
2005354692.tif 000005
【図４】
2005354692.tif 000006
【図５】
2005354692.tif 000007
【図６】
2005354692.tif 000008
【図７】
2005354692.tif 000009
【図８】
2005354692.tif 000010